(57)【要約】【課題】本発明は、ホスト名によるアクセスを容易に不許可にすることができ、システム構成がシンプルなＤＤＮＳクライアント端末とＤＤＮＳサーバ、ＤＤＮＳシステム、及びアクセス管理方法を提供することを目的とする。【解決手段】本発明は、インターネット１に接続されたＤＤＮＳクライアント端末３と、インターネット１に接続されたＤＤＮＳサーバ２とを備え、ＤＤＮＳクライアント端末３からＤＤＮＳサーバ２にＤＤＮＳ更新要求を行うときに、アクセスを不許可にする停止時間帯情報を同時に通知することを特徴とする。【選択図】　図１
2004128788.tif 000002
【特許請求の範囲】
【請求項１】
グローバルＩＰアドレスが変更されるとＤＤＮＳサーバに通知するＤＤＮＳクライアント部と、
アクセスを不許可にする停止時間帯を管理する停止時間帯管理部とを備え、
前記ＤＤＮＳクライアント部が、ＤＤＮＳサーバにＤＤＮＳ更新要求を行うときに、アクセスを不許可にする停止時間帯情報を同時に通知することを特徴とするＤＤＮＳクライアント端末。
【請求項２】
グローバルＩＰアドレスとホスト名をクライアント情報として格納したクライアント情報データベースを備え、アクセスされたホスト名をグローバルＩＰアドレスに変換するＤＤＮＳサーバであって、
停止時間取得部が、ＤＤＮＳクライアント端末のＤＤＮＳ更新要求から停止時間帯の開始時間情報と終了時間情報を取り出し、
制御部が、停止時間帯にはネットワーク端末からのホスト名解決要求に対しデフォルトのグローバルＩＰアドレスに変換して送信することを特徴とするＤＤＮＳサーバ。
【請求項３】
前記デフォルトのグローバルＩＰアドレスが、アクセスを不許可にすることを報知するウェブページのグローバルＩＰアドレスであることを特徴とする請求項２記載のＤＤＮＳサーバ。
【請求項４】
広域ネットワークに接続された請求項１記載のＤＤＮＳクライアント端末と、広域ネットワークに接続された請求項２または３に記載のＤＤＮＳサーバとを備え、前記ＤＤＮＳクライアント端末から前記ＤＤＮＳサーバにＤＤＮＳ更新要求を行うときに、アクセスを不許可にする停止時間帯情報を同時に通知することを特徴とするＤＤＮＳシステム。
【請求項５】
グローバルＩＰアドレス更新時、前記ＤＤＮＳクライアント端末からＤＤＮＳサーバにＤＤＮＳ更新要求を行うときに、前記ＤＤＮＳクライアント端末へのアクセスを不許可にする停止時間帯情報を同時に通知し、該停止時間帯にはデフォルトのグローバルＩＰアドレスを送信することを特徴とするアクセス管理方法。
【発明の詳細な説明】
【０００１】
【発明の属する技術分野】
本発明は、アクセスを不許可にする停止時間帯を設定できるＤＤＮＳクライアント端末とＤＤＮＳサーバ、及びこれらからなるＤＤＮＳシステム、そしてアクセス管理方法に関するものである。
【０００２】
【従来の技術】
従来、ネットワーク端末のブラウザからホスト名を使って、インターネット等の広域ネットワークのウェブサーバにアクセスするときは、ＤＮＳサーバによってホスト名に対応するグローバルＩＰアドレスを取得してＩＰパケットを送信する。しかし、グローバルＩＰアドレスは世界的に枯渇しており、ＤＨＣＰ（Ｄｙｎａｍｉｃ　Ｈｏｓｔ　Ｃｏｎｆｉｇｕｒａｔｉｏｎ　Ｐｒｏｔｏｃｏｌ）サーバによって限られたグローバルＩＰアドレスを時間制限付で割り当てることが広く行われている。
【０００３】
しかし、ＤＮＳサーバは動的に変化するグローバルＩＰアドレスに対応できない。そこで、ＤＤＮＳ（Ｄｙｎａｍｉｃ　Ｄｏｍａｉｎ　Ｎａｍｅ　Ｓｙｓｔｅｍ）サーバが用いられる。ＤＨＣＰクライアントであるネットワーク端末がグローバルＩＰアドレスを更新したときには、ＤＤＮＳサーバに更新要求を行って、ホスト名を使ってのウェブサーバへのアクセスを可能にしている（例えば、特許文献１参照）。
【０００４】
ところで、ＡＤＳＬやＣＡＴＶインターネット等のブロードバンドの普及に伴い、常時接続を行うブロードバンドルータが普及している。このブロードバンドルータには複数のネットワーク端末が接続される。例えば、監視カメラ等のネットワークカメラが接続される。これらのネットワーク端末やブロードバンドルータは、動的に変化するグローバルＩＰアドレスに対応する必要があり、ＤＤＮＳクライアント端末として自身のグローバルＩＰアドレスをＤＤＮＳサーバへ通知している。
【０００５】
ＤＤＮＳクライアント端末からＩＰアドレスの通知を受け取ったＤＤＮＳサーバは、自身のデータベース内にあるクライアント端末のグローバルＩＰアドレスと通知されたグローバルＩＰアドレスを比較し、変化があったときはデータベースの更新と判断し、変更する。なお、ＤＤＮＳサーバのデータベースにはＤＤＮＳクライアント端末の利用者のメールアドレスや住所、電話番号などの個人情報も格納されている。
【０００６】
【特許文献１】
特開２０００−１１２８５１号公報
【０００７】
【発明が解決しようとする課題】
ところで、このＤＤＮＳサーバとＤＤＮＳクライアント端末から構成されるＤＤＮＳシステムにおいては、ユーザがネットワーク端末でＤＤＮＳクライアント端末にアクセスするとき、ＤＤＮＳサーバによってＤＤＮＳクライアント端末のＩＰアドレスはホスト名から変換され、ユーザはホスト名によってＤＤＮＳクライアント端末へアクセスすることができる。
【０００８】
しかし、ネットワークカメラを操作して映像を取得する場合を考えれば分かるように、ブロードバンドルータによりネットワークカメラに常時接続している場合、プライバシー保護等の観点からどうしても所定の時間カメラへのアクセスを停止したいという時間帯が存在する。このような場合にネットワークカメラの電源をＯＦＦして動作させないようにする方法があるが、この場合、ネットワークカメラにアクセスする端末（アクセス元端末）からは、ネットワークカメラからの応答がないということしかわからない。すなわち、ネットワークカメラの電源がＯＦＦされている場合には、アクセス元端末からのアクセスパケットに対し、応答する装置がないとしてアクセス元端末のブラウザ手段によりその情報が表示されることになるが、何故ネットワークカメラが応答しないのかは不明であり、アクセス元端末の利用者は、ネットワークカメラが今後もアクセスできないという認識をもつことも多い。また、電源ＯＮ／ＯＦＦは手動で行う必要があるため、停止したい時間帯を超えてしまったり、停止したくない時間まで電源ＯＦＦしていたりという状況が生じる。この場合に、ネットワークカメラ、すなわち、ＤＤＮＳクライアント端末側で操作をタイマで停止することにより対応することができるが、なぜネットワークカメラが応答しない理由をアクセス元端末に知らせることはできない。
【０００９】
ここで、ＤＤＮＳクライアント端末側で、タイマ動作によりアクセスできない時間帯であることを報知するＷｅｂページを送信するようにもできないことはないが、ＤＤＮＳクライアント端末側の動作プログラム等のシステム構成が非常に複雑になるという問題があった。
【００１０】
そこで、本発明は、ホスト名によるアクセスを容易に不許可にすることができ、システム構成がシンプルなＤＤＮＳクライアント端末を提供することを目的とする。
【００１１】
また本発明は、ホスト名によるＤＤＮＳクライアント端末へのアクセスを容易に不許可にすることができ、システム構成がシンプルなＤＤＮＳサーバを提供することを目的とする。
【００１２】
そして本発明は、ホスト名によるＤＤＮＳクライアント端末へのアクセスを容易に不許可にすることができ、システム構成がシンプルなＤＤＮＳシステムを提供することを目的とする。
【００１３】
さらに本発明は、ホスト名によるＤＤＮＳクライアント端末へのアクセスを容易に不許可にすることができるアクセス管理方法を提供することを目的とする。
【００１４】
【課題を解決するための手段】
上記の課題を解決するために本発明のＤＤＮＳサーバは、ＤＤＮＳクライアント部が、ＤＤＮＳサーバにＤＤＮＳ更新要求を行うときに、アクセスを不許可にする停止時間帯情報を同時に通知することを特徴とする。
【００１５】
これにより、ホスト名によるアクセスを容易に不許可にすることができ、システム構成がシンプルなＤＤＮＳクライアント端末を提供することができる。
【００１６】
また、本発明のＤＤＮＳサーバは、停止時間取得部が、ＤＤＮＳクライアント端末のＤＤＮＳ更新要求から停止時間帯の開始時間情報と終了時間情報を取り出し、制御部が、停止時間帯にはネットワーク端末からのホスト名解決要求に対しデフォルトのグローバルＩＰアドレスに変換して送信することを特徴とする。
【００１７】
これにより、ホスト名によるＤＤＮＳクライアント端末へのアクセスを容易に不許可にすることができ、システム構成がシンプルなＤＤＮＳサーバを提供することができる。
【００１８】
また、本発明のＤＤＮＳシステムは、ＤＤＮＳクライアント端末からＤＤＮＳサーバにＤＤＮＳ更新要求を行うときに、アクセスを不許可にする停止時間帯情報を同時に通知することを特徴とする。
【００１９】
これにより、ホスト名によるＤＤＮＳクライアント端末へのアクセスを容易に不許可にすることができ、システム構成がシンプルなＤＤＮＳシステムを提供することができる。
【００２０】
また、本発明のアクセス管理方法は、グローバルＩＰアドレス更新時、ＤＤＮＳクライアント端末からＤＤＮＳサーバＤＤＮＳ更新要求を行うときに、ＤＤＮＳクライアント端末へのアクセスを不許可にする停止時間帯情報を同時に通知し、該停止時間帯にはデフォルトのグローバルＩＰアドレスを送信することを特徴とする。
【００２１】
これにより、ホスト名によるＤＤＮＳクライアント端末へのアクセスを容易に不許可にすることができるアクセス管理方法を提供することができる。
【００２２】
【発明の実施の形態】
本発明の請求項１記載の発明は、グローバルＩＰアドレスが変更されるとＤＤＮＳサーバに通知するＤＤＮＳクライアント部と、アクセスを不許可にする停止時間帯を管理する停止時間帯管理部とを備え、ＤＤＮＳクライアント部が、ＤＤＮＳサーバにＤＤＮＳ更新要求を行うときに、アクセスを不許可にする停止時間帯情報を同時に通知することを特徴とするＤＤＮＳクライアント端末であり、ＤＤＮＳ更新要求を利用して、ＤＤＮＳクライアント端末に対するアクセス停止時間帯を通知するため、ホスト名によるＤＤＮＳクライアント端末へのアクセスを容易に不許可にすることができ、システム構成がシンプルにすることができる。
【００２３】
本発明の請求項２記載の発明は、グローバルＩＰアドレスとホスト名をクライアント情報として格納したクライアント情報データベースを備え、アクセスされたホスト名をグローバルＩＰアドレスに変換するＤＤＮＳサーバであって、停止時間取得部が、ＤＤＮＳクライアント端末のＤＤＮＳ更新要求から停止時間帯の開始時間情報と終了時間情報を取り出し、制御部が、停止時間帯にはネットワーク端末からのホスト名解決要求に対しデフォルトのグローバルＩＰアドレスに変換して送信することを特徴とするＤＤＮＳサーバであり、ＤＤＮＳ更新要求を利用して、ＤＤＮＳクライアント端末に対するアクセス停止時間帯を通知するため、停止時間帯にはデフォルトのグローバルＩＰアドレスに変換でき、ホスト名によるＤＤＮＳクライアント端末へのアクセスを容易に不許可にすることができる。
【００２４】
本発明の請求項３記載の発明は、デフォルトのグローバルＩＰアドレスが、アクセスを不許可にすることを報知するウェブページのグローバルＩＰアドレスであることを特徴とする請求項２記載のＤＤＮＳサーバであり、アクセスを不許可にすることを報知するウェブページに接続されるため、停止を意図するＤＤＮＳサーバのグローバルＩＰアドレスを通知することでユーザにＤＤＮＳクライアント端末が停止していることが分かる。
【００２５】
本発明の請求項４記載の発明は、広域ネットワークに接続された請求項１記載のＤＤＮＳクライアント端末と、広域ネットワークに接続された請求項２または３に記載のＤＤＮＳサーバとを備え、ＤＤＮＳクライアント端末からＤＤＮＳサーバにＤＤＮＳ更新要求を行うときに、アクセスを不許可にする停止時間帯情報を同時に通知することを特徴とするＤＤＮＳシステムであり、ＤＤＮＳ更新要求を利用して、ＤＤＮＳクライアント端末に対するアクセス停止時間帯を通知するため、ホスト名によるＤＤＮＳクライアント端末へのアクセスを容易に不許可にすることができる。
【００２６】
本発明の請求項５記載の発明は、グローバルＩＰアドレス更新時、ＤＤＮＳクライアント端末からＤＤＮＳサーバにＤＤＮＳ更新要求を行うときに、ＤＤＮＳクライアント端末へのアクセスを不許可にする停止時間帯情報を同時に通知し、該停止時間帯にはデフォルトのグローバルＩＰアドレスを送信することを特徴とするアクセス管理方法であり、ＤＤＮＳ更新要求を利用して、ＤＤＮＳクライアント端末に対するアクセス停止時間帯を通知するため、停止時間帯にはデフォルトのグローバルＩＰアドレスに変換でき、ホスト名によるＤＤＮＳクライアント端末へのアクセスを容易に不許可にすることができる。
【００２７】
（実施の形態１）
本発明の実施の形態１におけるＤＤＮＳシステムとアクセス管理方法について説明する。図１は本発明の実施の形態１におけるＤＤＮＳシステムの構成図、図２は本発明の実施の形態１におけるＤＤＮＳクライアント端末の構成図、図３（ａ）は本発明の実施の形態１におけるＤＤＮＳサーバの構成図、図３（ｂ）は本発明の実施の形態１におけるウェブサーバの構成図、図４は本発明の実施の形態１におけるＤＤＮＳシステムの処理のシーケンス図、図５は本発明の実施の形態１におけるＤＤＮＳサーバの処理のフローチャート、図６はＤＤＮＳ更新要求のＨＴＴＰパケットの構成図である。
【００２８】
図１において、１はインターネット（本発明の広域ネットワーク）、２はＤＤＮＳサーバ、３はブロードバンドルータやこれとその配下のネットワークカメラ等のＤＤＮＳクライアント端末、４はインターネット１からメールを受信できるネットワーク端末、５はクライアントからの要求でグローバルＩＰアドレスを時間制限付で割り当てるＤＨＣＰサーバ、１１はＷｅｂサーバである。
【００２９】
次にＤＤＮＳクライアント端末３について説明する。図２において、３ａはＤＤＮＳクライアント端末３のＤＤＮＳサーバ２との通信制御と管理を行うＤＤＮＳクライアント部、６ａは、電子メールの通信管理を行うメール管理部（図示しない）におかれ、ユーザから入力されたメールアドレスを管理するメールアドレス管理部である。６ｂは、インターネット１で通信する等のためにＤＨＣＰサーバ５から割り当てられた自分のＩＰアドレスを管理するＩＰアドレス管理部、６ｃはユーザから入力された停止時間を管理する停止時間帯管理部である。このＤＤＮＳクライアント部３ａ，メールアドレス管理部６ａ，ＩＰアドレス管理部６ｂ，停止時間帯管理部６ｃ等の管理部は、ファームウェアその他の制御プログラムが中央処理装置（図示しない）にロードされて、機能実現手段として構成される。
【００３０】
続いて、ＤＤＮＳサーバについて説明する。図３（ａ）において、７はＤＤＮＳサーバ２に設けられ、各ＤＤＮＳクライアント端末３の停止時間を管理するタイマー管理テーブルである。７ａはＤＨＣＰサーバによって割り当てられ各クライアント情報の中に格納された現在のグローバルＩＰアドレス、７ｂは停止時間帯の開始時間、７ｃは停止時間帯の終了時間である。クライアント情報にはその他ユーザの個人情報も蓄積される。８は各ＤＤＮＳクライアント端末３からの停止時間帯取得を行う停止時間取得部、９はタイマ（図示しない）で計時した時間に従って処理を行う制御部である。図３（ｂ）において、１１ａはインターネット１とＨＴＴＰで通信できるＷｅｂサーバ１１の通信部、１１ｂはＤＤＮＳサーバ２のタイマ管理テーブルを受信するタイマ管理テーブル受信機能部、１１ｃは受信したタイマ管理テーブル、１１ｄは通信部１１ａで受信したＨＴＴＰメッセージから取出したホスト名及び、そのホスト名に基づいて受信したタイマ管理テーブル１１ｃから読み出した停止時間帯等から後述する停止時間報知用ウェブページを生成する停止時間報知用ウェブページ生成部である。
【００３１】
そこで本発明の実施の形態１のＤＤＮＳアクセス管理システムの処理のシーケンスについて説明する。まず図４に示すように、ＤＤＮＳクライアント端末３はＤＤＮＳサーバ２のＤＮＳ情報を常に最新のものに更新するように、定期的に自分のグローバルＩＰアドレス等の情報をＤＤＮＳサーバ２に通知（以下、「ＤＤＮＳ更新要求」とする）する。また、新しいＩＰアドレスをＤＨＣＰサーバから取得したときにも、ＤＤＮＳ更新要求を行う。
【００３２】
すなわち、定期的にもしくはＩＰアドレス更新時にＤＤＮＳ更新要求を行う。図６はＤＤＮＳ更新要求のＨＴＴＰパケットの構成図である。このＤＤＮＳ更新要求の構成を図６に基づいて説明すると、１０ａはＨＴＴＰパケットのＨＴＴＰヘッダ、１０ｂはＤＨＣＰサーバ５に割り当てられたグローバルＩＰアドレス、１０ｃはメールアドレス、１０ｄは停止時間帯の停止開始時間、１０ｅは停止時間帯の停止終了時間、１０ｆはクライアントを識別するためのクライアントＩＤである。
【００３３】
ＤＤＮＳクライアント端末３から停止時間を付加されたＤＤＮＳ更新要求を受け取ったＤＤＮＳサーバ２は、図５に示すサーバ処理を行って、停止時間をＨＴＴＰヘッダから入手する。図５に示すように、ＤＤＮＳサーバ２はＤＤＮＳ更新要求を受信すると（ｓｔｅｐ１）、停止時間帯取得処理を行う（ｓｔｅｐ２）。停止時間帯を取得後、停止開始時間になったらグローバルＩＰアドレスをデフォルトのアドレスにする処理を起動するためのタイマと、停止終了時間になったらＩＰアドレスをＤＤＮＳクライアント端末の実際のＩＰに戻すための処理を起動するためのタイマをセットする（ｓｔｅｐ３）。
【００３４】
その後、ＤＤＮＳサーバ２は、ネットワーク端末からホスト名グローバルＩＰアドレス変換を求めるホスト名解決要求があるまで待機し（ｓｔｅｐ４）、ホスト名解決要求があった場合に停止開始時間が到来しているか否かをチェックする（ｓｔｅｐ５）。停止開始時間が到来しているとき停止時間開始処理が起動される（ｓｔｅｐ６）。このときＤＤＮＳクライアント端末のホスト名解決要求に対して、ＤＤＮＳサーバはデフォルトのグローバルＩＰアドレスを返す。このグローバルＩＰアドレスは、停止していることを報知する旨の画面を表示する所定のウェブサーバのグローバルＩＰアドレスである。
【００３５】
なお、この所定のＷｅｂサーバ１１にアクセスがあった場合、ＨＴＴＰメッセージからホスト名を取出し、そのホスト名、このホスト名の端末が停止していることを報知する旨のメッセージ及び停止時間等（例えば、「平日夕方５時〜朝１０時まで、及び休日はサービスを停止しております。」というメッセージ）を記述したウェブページを送信するような機能をもたせている。すなわち、本Ｗｅｂサーバ１１は、ＤＤＮＳサーバ２のタイマ管理テーブルの情報を定期的にＤＤＮＳサーバ２から受信するタイマ管理テーブル受信機能部１１ａを有しているとともに、ＨＴＴＰメッセージから取出したホスト名に基づいて受信したタイマ管理テーブル１１ｃから停止時間を判断し、そのホスト名及び停止時間等からウェブページを動的に生成する停止時間報知用ウェブページ生成部１１ｄを有している。
【００３６】
従って、停止時間内においてＤＤＮＳクライアント端末３にアクセスしたネットワーク端末４は、ＤＤＮＳクライアント端末３ではない所定のＷｅｂサーバ１１にアクセスすることになり、このＷｅｂサーバ１１からＤＤＮＳクライアント端末３のホスト名及びＤＤＮＳクライアント端末３がサービスしない時間帯である旨の情報を受信し、表示することができる。
【００３７】
その後、停止終了時間になったか否かがチェックされ（ｓｔｅｐ７）、停止終了時間にならないときはこれを繰返し、停止終了時間になったとき停止時間終了処理が起動される（ｓｔｅｐ８）。停止時間帯以外の時間帯になっているのでその後は通常のＩＰアドレスを返すことになる。
【００３８】
図５のフローチャートにおけるｓｔｅｐ４〜ｓｔｅｐ６は、図４のシーケンス図において、停止時間帯におけるネットワーク端末からのホスト名解決要求とグローバルＩＰアドレス（デフォルト）であり、ｓｔｅｐ７，ｓｔｅｐ８は、図４のシーケンス図において、停止時間帯以外のネットワーク端末からのホスト名解決要求とグローバルＩＰアドレスとなる。
【００３９】
このように本実施の形態１のＤＤＮＳシステムは、ＤＤＮＳサーバとＤＤＮＳクライアント端末との間で行われるＤＤＮＳ更新要求を利用して、ＤＤＮＳクライアント端末に対するアクセス停止時間帯を通知するため、ホスト名によるＤＤＮＳクライアント端末へのアクセスを容易に不許可にすることができ、システム構成がシンプルにすることができる。
【００４０】
なお、本実施の形態では、ＤＤＮＳシステムについて説明したが、ＤＤＮＳクライアント端末を有しないＤＮＳシステム下においてもＤＮＳに停止時間を設定できれば、ホスト名によるＤＤＮＳクライアント端末へのアクセスを容易に不許可にすることが可能であり、ＤＤＮＳクライアント端末からＤＤＮＳ更新要求に停止時間を含ませるのではなく、固定のグローバルＩＰアドレスとホスト名をＤＮＳサーバに登録する際に、停止時間帯もＤＮＳサーバに登録するようにするようにしてもよい。
【００４１】
また、ＤＤＮＳクライアント端末の停止時間帯管理部６ｃに、ＤＤＮＳクライアント端末３の管理者から曜日毎若しくは／及び年月日毎に停止時間を設定することができるようにしてもよい。この場合、ＤＤＮＳクライアント端末は、曜日若しくは／及び年月日が切り替わった以降に送信するＤＤＮＳ更新要求は切り替わった後の曜日若しくは年月日の停止時間を送信するようにすれば、ＤＤＮＳ更新要求の情報量は少なくて済み、またＤＤＮＳサーバには曜日若しくは年月日管理は必要なくＤＤＮＳは簡単な構成にすることが可能である。なお、曜日や年月日の情報を一括してＤＤＮＳサーバ２に送信する構成にすることも当然に可能である。
【００４２】
更に、ＤＤＮＳクライアント端末３において、停止時間の間は、端末の動作を停止する端末動作停止制御部（図示しない）を設けるようにすれば、仮に他のＤＮＳサーバでＤＤＮＳクライアント端末のグローバルＩＰアドレスが停止時間内においても一時的にキャッシュされているような場合であっても、ＤＤＮＳクライアント端末に対し完全にアクセスすることを阻止できるとともに消費電力の低減をすることが可能となる。また、ＤＤＮＳクライアント端末３において、停止時間の間における外部からのアクセスに対しては、パスワード等の認証動作を行うようにし、停止時間でない場合には、認証動作をしない認証動作手段を設けて自由にアクセスされることを防止するようにしてもよい。
【００４３】
また、ＤＤＮＳクライアント端末３とＤＤＮＳサーバ２間で、停止時間の送受信を行う代わりに、ＤＤＮＳクライアント端末３から代替ＩＰアドレスと代替する時間とをＤＤＮＳサーバ２に送信し、ＤＤＮＳサーバ２側で代替時間内にアクセスがあった場合に代替ＩＰアドレスをアクセス元に送信するようにしてもよい。このようにすればデフォルトのサーバをＤＤＮＳクライアント端末３が自由に設定することができ、また２つ以上の端末に対し同一ホスト名を時間帯に分けて登録するということも可能となる。なお、停止時間と代替ＩＰアドレスおよび代替時間を共にＤＤＮＳサーバ２に送信するようにし、ＤＤＮＳサーバ２は送信された情報に基づいて動作するようにしてもよい。
【００４４】
【発明の効果】
本発明のＤＤＮＳクライアント端末によれば、ＤＤＮＳ更新要求を利用して、ＤＤＮＳクライアント端末に対するアクセス停止時間帯を通知するため、ホスト名によるＤＤＮＳクライアント端末へのアクセスを容易に不許可にすることができ、システム構成がシンプルにすることができる。
【００４５】
本発明のＤＤＮＳサーバによれば、ＤＤＮＳ更新要求を利用して、ＤＤＮＳクライアント端末に対するアクセス停止時間帯を通知するため、停止時間帯にはデフォルトのグローバルＩＰアドレスに変換でき、ホスト名によるＤＤＮＳクライアント端末へのアクセスを容易に不許可にすることができる。アクセスを不許可にすることを報知するウェブページに接続されるため、停止を意図するＤＤＮＳサーバのグローバルＩＰアドレスを通知することでユーザにＤＤＮＳクライアント端末が停止していることが分かる。
【００４６】
本発明のＤＤＮＳシステムによれば、ＤＤＮＳ更新要求を利用して、ＤＤＮＳクライアント端末に対するアクセス停止時間帯を通知するため、ホスト名によるＤＤＮＳクライアント端末へのアクセスを容易に不許可にすることができる。
【００４７】
本発明のアクセス管理方法によれば、ＤＤＮＳ更新要求を利用して、ＤＤＮＳクライアント端末に対するアクセス停止時間帯を通知するため、停止時間帯にはデフォルトのグローバルＩＰアドレスに変換でき、ホスト名によるＤＤＮＳクライアント端末へのアクセスを容易に不許可にすることができる。
【図面の簡単な説明】
【図１】本発明の実施の形態１におけるＤＤＮＳシステムの構成図
【図２】本発明の実施の形態１におけるＤＤＮＳクライアント端末の構成図
【図３】（ａ）本発明の実施の形態１におけるＤＤＮＳサーバの構成図
（ｂ）本発明の実施の形態１におけるウェブサーバの構成図
【図４】本発明の実施の形態１におけるＤＤＮＳシステムの処理のシーケンス図
【図５】本発明の実施の形態１におけるＤＤＮＳサーバの処理のフローチャート
【図６】ＤＤＮＳ更新要求のＨＴＴＰパケットの構成図
【符号の説明】
１　インターネット
２　ＤＤＮＳサーバ
３　ＤＤＮＳクライアント端末
３ａ　ＤＤＮＳクライアント部
４　ネットワーク端末
５　ＤＨＣＰサーバ
６ａ　メールアドレス管理部
６ｂ　ＩＰアドレス管理部
６ｃ　停止時間帯管理部
７　タイマー管理テーブル
７ａ，１０ｂ　グローバルＩＰアドレス
７ｂ　開始時間
７ｃ　終了時間
８　停止時間取得部
９　制御部
１０ａ　ＨＴＴＰヘッダ
１０ｃ　メールアドレス
１０ｄ　停止開始時間
１０ｅ　停止終了時間
１０ｆ　クライアントＩＤ
１１　Ｗｅｂサーバ
１１ａ　通信部
１１ｂ　タイマ管理テーブル受信機能部
１１ｃ　受信したタイマ管理テーブル
１１ｄ　停止時間報知用ウェブページ生成部
【図１】
2004128788.tif 000003
【図２】
2004128788.tif 000004
【図３】
2004128788.tif 000005
【図４】
2004128788.tif 000006
【図５】
2004128788.tif 000007
【図６】
2004128788.tif 000008